(57)【要約】【課題】  画像表示装置に接続された外部装置の動作中に、ユーザの誤った操作により画像表示装置の電源オフが指示された場合、視聴可能となるまでの間に再生されてしまった外部装置からの画像データを見逃してしまう。【解決手段】  制御手段により画像表示装置に対する電源オフ指示で、表示部への電源供給を停止させると共に、外部装置に対し動作の一時停止を指示する。さらに、計測手段により電源オフ指示からの時間を計測し、所定の時間を経過する前に画像表示装置に対する電源オン指示があれば、制御手段により表示部への電源供給を開始させると共に、外部装置に対し動作の再開を指示する。【選択図】  図５
2008205597.tif 000002
【特許請求の範囲】
【請求項１】
記録媒体に記録された画像データを再生する機能を有する外部装置と通信を行う通信手段と、
前記通信手段により前記外部装置から受信した画像データを表示させる表示手段と、
装置への電源を投入するための操作手段と、
前記操作手段による電源オフの操作を受けてからの時間を計測する計測手段と、
前記操作手段による電源オフの操作を受けて、前記表示手段への電源供給を停止させると共に、前記外部装置に対し動作を一時停止させるよう指示する制御手段とを有し、
前記制御手段は、前記計測手段にて計測された時間が所定の時間を経過する前に前記操作手段による電源オンの操作を受けた場合、前記表示手段への電源供給を開始させると共に、前記外部装置に対し動作を再開させるよう指示することを特徴とする画像表示装置。
【請求項２】
前記制御手段は、前記操作手段による電源オンの操作を受ける前に前記計測手段にて計測された時間が所定の時間を経過した場合、前記画像表示装置が待機状態となるように電源供給を制御すると共に、前記外部装置に対し動作を終了させるよう指示することを特徴とする請求項１に記載の画像表示装置。
【請求項３】
前記制御手段は、前記操作手段による電源オンの操作を受ける前に前記計測手段にて計測された時間が所定の時間を経過した場合、前記画像表示装置が待機状態となるように電源供給を制御すると共に、前記外部装置に対し電源オフを指示することを特徴とする請求項１または請求項２に記載の画像表示装置。
【請求項４】
前記制御手段は、前記外部装置の動作が録画である場合、前記外部装置に対し指示をしないことを特徴とする請求項１乃至請求項３のいずれかに記載の画像表示装置。
【請求項５】
前記制御手段は、前記外部装置の動作が録画である場合、前記外部装置に対し録画の一時停止、録画の終了及び電源オフを指示しないことを特徴とする請求項１乃至請求項３のいずれかに記載の画像表示装置。
【請求項６】
前記通信手段は、ＨＤＭＩ、ＤＶＩ、ＩＥＥＥ１３９４の少なくとも１つであることを特徴とする請求項１乃至請求項５のいずれかに記載の画像表示装置。
【請求項７】
記録媒体に記録された画像データを再生する機能を有する外部装置から受信した画像データを表示させる画像表示装置で実行される画像表示制御方法であって、
操作手段による電源オフの操作を受けてからの時間を計測する計測ステップと、
前記操作手段による電源オフの操作を受けて、表示手段への電源供給を停止させると共に、前記外部装置に対し動作を一時停止させるよう指示する制御ステップとを有し、
前記制御ステップは、前記計測ステップにて計測された時間が所定の時間を経過する前に前記操作手段による電源オンの操作を受けた場合、前記表示手段への電源供給を開始させると共に、前記外部装置に対し動作を再開させるよう指示することを特徴とする画像表示制御方法。
【請求項８】
前記制御ステップは、前記操作手段による電源オンの操作を受ける前に前記計測ステップにて計測された時間が所定の時間を経過した場合、前記画像表示装置が待機状態となるように電源供給を制御すると共に、前記外部装置に対し動作を終了させるよう指示することを特徴とする請求項７に記載の画像表示制御方法。
【請求項９】
前記制御ステップは、前記操作手段による電源オンの操作を受ける前に前記計測ステップにて計測された時間が所定の時間を経過した場合、前記画像表示装置が待機状態となるように電源供給を制御すると共に、前記外部装置に対し電源オフを指示することを特徴とする請求項７または請求項８に記載の画像表示制御方法。
【請求項１０】
前記制御ステップは、前記外部装置の動作が録画である場合、前記外部装置に対し指示をしないことを特徴とする請求項７乃至請求項９のいずれかに記載の画像表示制御方法。
【請求項１１】
前記制御ステップは、前記外部装置の動作が録画である場合、前記外部装置に対し録画の一時停止、録画の終了及び電源オフを指示しないことを特徴とする請求項７乃至請求項９のいずれかに記載の画像表示制御方法。
【請求項１２】
請求項７乃至請求項１１のいずれかに記載の画像表示制御方法をコンピュータに実行させるプログラム。
【請求項１３】
請求項１２に記載のプログラムを記録したコンピュータ読み取り可能な記録媒体。
【請求項１４】
記録媒体に記録された画像データを再生する機能を有する外部装置及び前記外部装置から受信した画像データを表示させる画像表示装置と通信可能である画像表示制御装置であって、
時間を計測する計測手段と、
前記画像表示装置が電源オフの操作を受けたのに同期させ、前記計測手段に時間の計測を開始させると共に、前記外部装置に対し動作を一時停止させるよう指示する制御手段とを有し、
前記制御手段は、前記計測手段にて計測された時間が所定の時間を経過する前に前記画像表示装置が電源オンの操作を受けた場合、前記外部装置に対し動作を再開させるよう指示することを特徴とする画像表示制御装置。
【請求項１５】
前記制御手段は、前記画像表示装置が電源オンの操作を受ける前に前記計測手段にて計測された時間が所定の時間を経過した場合、前記外部装置に対し動作を終了させるよう指示することを特徴とする請求項１４に記載の画像表示制御装置。
【請求項１６】
前記制御手段は、前記画像表示装置が電源オンの操作を受ける前に前記計測手段にて計測された時間が所定の時間を経過した場合、前記外部装置に対し電源オフを指示することを特徴とする請求項１４または請求項１５に記載の画像表示制御装置。
【請求項１７】
前記制御手段は、前記外部装置の動作が録画である場合、前記外部装置に対し指示をしないことを特徴とする請求項１４乃至請求項１６のいずれかに記載の画像表示制御装置。
【請求項１８】
前記制御手段は、前記外部装置の動作が録画である場合、前記外部装置に対し録画の一時停止、録画の終了及び電源オフを指示しないことを特徴とする請求項１４乃至請求項１６のいずれかに記載の画像表示制御装置。
【発明の詳細な説明】
【技術分野】
【０００１】
本発明は、外部装置から送信されてくる画像データを表示する画像表示装置及び画像表示装置に接続された外部装置の動作を制御する画像表示制御装置に関するものである。
【背景技術】
【０００２】
従来、接続された外部装置から送信されてくる画像データを表示する装置はテレビジョン受像機が一般的であり、放送波のデジタル化に伴いテレビジョン受像機においてはデジタルテレビが普及している。
【０００３】
また、デジタルテレビに外部接続し、画像データを再生する装置として、ハードディスクレコーダ、ＤＶＤ（Ｄｉｇｉｔａｌ  Ｖｅｒｓａｔｉｌｅ  Ｄｉｓｋ）レコーダ、デジタルビデオカメラ等多種多様な装置が存在する。これらの装置において再生される画像データは、デジタルデータとして、装置内蔵の、或いは取り外し可能な記録メディアに記録されている。
【０００４】
したがって、画像表示装置及び再生装置間のインターフェースのデジタル化も進み、例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４、ＤＶＩ（Ｄｉｇｉｔａｌ  Ｖｉｓｕａｌ  Ｉｎｔｅｒｆａｃｅ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）等が普及してきている。
【０００５】
このような画像表示装置、再生装置及びインターフェースのデジタル化、そして個々の装置における機能の多機能化に伴い、各種信号処理、初期化処理が複雑となってきている。そこで、従来と比較して、画像表示装置の電源をオンして待機状態から立ち上げを行い視聴可能となるまでに、多くの時間を要するという問題が発生している。待機状態とは一般的に、リモコンによる遠隔操作で装置を起動できるようにするために、装置本来の動作を行っていない状態でも、リモコンとの通信を行う通信部及び操作の指示に基づいて動作する制御部の電源を落とさない状態のことをいう。
【０００６】
そのような問題から、例えば、デジタルテレビで番組視聴中に誤って電源を切ってしまった場合に、再びその番組が視聴可能になるまで多くの時間を要し、その間の視聴の断念を余儀なくされるという課題が挙げられる。
【０００７】
上記課題を解決するため特許文献１では、デジタルテレビの電源オフが指示された場合、すぐに待機状態へ移行させるのではなく、画像表示手段への電源供給を停止し非動作状態にすることにより画像出力及び音声出力の停止を行うにとどめ、信号処理部等の動作状態を維持させていた。そして、所定時間内に電源オンが指示されれば、画像表示手段への電源供給を再開し、音声出力のミュートを解除することで、デジタルテレビでの視聴を早期に再開可能とする提案が開示されている。
【特許文献１】特開２００６−１０８７４４号公報
【発明の開示】
【発明が解決しようとする課題】
【０００８】
以上のように、従来の技術は、画像表示装置での視聴を早期に再開可能にする提案はなされているが、画像データを画像表示装置へ送信する外部に接続された再生装置等に関しては何ら考慮されていない。
【０００９】
例えば、接続された外部装置で再生されているコンテンツをデジタルテレビで表示している際に、デジタルテレビに対し、ユーザの誤ったリモコン操作で電源オフが指示された場合、デジタルテレビ自体は視聴を早期に再開可能な状態へと移行する。ところが、外部装置でのコンテンツの再生は継続しているため、再度リモコンからの電源オンの指示を受信し視聴を早期に再開しても、視聴を再開するまでの間に再生されてしまったコンテンツの一部を見逃してしまう。そのため、コンテンツの継続した視聴を行うには、一旦コンテンツを巻き戻さなければならなくなる。このように、コンテンツの継続した視聴を行うには煩わしい操作が必要であり、多くの時間を要するという問題があった。
【００１０】
そこで本発明は、画像表示装置に接続された外部装置の動作中に、ユーザの誤った操作により画像表示装置の電源オフが指示された場合であっても、外部装置からの画像データを見逃してしまうことなく、継続した視聴を早期に再開可能にすることを目的とする。
【課題を解決するための手段】
【００１１】
上記目的を達成するために本発明による画像表示装置は、例えば、記録媒体に記録された画像データを再生する機能を有する外部装置と通信を行う通信手段と、前記通信手段により前記外部装置から受信した画像データを表示させる表示手段と、装置への電源を投入するための操作手段と、前記操作手段による電源オフの操作を受けてからの時間を計測する計測手段と、前記操作手段による電源オフの操作を受けて、前記表示手段への電源供給を停止させると共に、前記外部装置に対し動作を一時停止させるよう指示する制御手段とを有し、前記制御手段は、前記計測手段にて計測された時間が所定の時間を経過する前に前記操作手段による電源オンの操作を受けた場合、前記表示手段への電源供給を開始させると共に、前記外部装置に対し動作を再開させるよう指示することを特徴とする。
【００１２】
上記目的を達成するために本発明による画像表示制御装置は、例えば、記録媒体に記録された画像データを再生する機能を有する外部装置及び前記外部装置から受信した画像データを表示させる画像表示装置と通信可能である画像表示制御装置であって、時間を計測する計測手段と、前記画像表示装置が電源オフの操作を受けたのに同期させ、前記計測手段に時間の計測を開始させると共に、前記外部装置に対し動作を一時停止させるよう指示する制御手段とを有し、前記制御手段は、前記計測手段にて計測された時間が所定の時間を経過する前に前記画像表示装置が電源オンの操作を受けた場合、前記外部装置に対し動作を再開させるよう指示することを特徴とする。
【００１３】
上記目的を達成するために本発明による画像表示制御方法は、例えば、記録媒体に記録された画像データを再生する機能を有する外部装置から受信した画像データを表示させる画像表示装置で実行される画像表示制御方法であって、操作手段による電源オフの操作を受けてからの時間を計測する計測ステップと、前記操作手段による電源オフの操作を受けて、表示手段への電源供給を停止させると共に、前記外部装置に対し動作を一時停止させるよう指示する制御ステップとを有し、前記制御ステップは、前記計測ステップにて計測された時間が所定の時間を経過する前に前記操作手段による電源オンの操作を受けた場合、前記表示手段への電源供給を開始させると共に、前記外部装置に対し動作を再開させるよう指示することを特徴とする。
【発明の効果】
【００１４】
以上説明したように、本発明によれば、画像表示装置に接続された外部装置が動作中に、ユーザの誤った操作で画像表示装置の電源オフが指示された場合であっても、外部装置からの画像データを見逃すことなく、継続した視聴を早期に再開できる。
【発明を実施するための最良の形態】
【００１５】
（実施例１）
以下、図面を参照しながら、本発明の第１の実施形態を説明する。
【００１６】
図１に、本実施形態におけるシステムの概略構成を示す。
【００１７】
同図において、１０１は、本実施形態の再生装置であるＤＶＤレコーダである。再生装置は、各種コンテンツを再生、出力する装置であるならば、その他、ハードディスクレコーダ、デジタルビデオカメラ、コンピュータ等の装置で実現してもよい。本実施形態ではＤＶＤレコーダ１０１を例として説明する。
【００１８】
ＤＶＤレコーダ１０１はＨＤＭＩケーブル１０２で画像表示装置であるデジタルテレビ１０３と接続されている。ＤＶＤレコーダ１０１で再生されたコンテンツのデータは、ＨＤＭＩケーブル１０２を通じてデジタルテレビ１０３上の画面にて表示、視聴が可能となる。なお、本実施形態では、ＤＶＤレコーダ１０１とデジタルテレビ１０３間をＨＤＭＩケーブル１０２で接続する場合について説明するが、ＤＶＩケーブル、ＩＥＥＥ１３９４ケーブル、或いはその他のケーブルであっても構わない。
【００１９】
また、リモコン１０４は、ユーザがデジタルテレビ１０３へ各種動作指示を行うために使用されるものである。さらに、ＤＶＤレコーダ１０１への指示も、リモコン１０４からデジタルテレビ１０３に指示することにより、その指示はデジタルテレビ１０３において、デジタルテレビ１０３、及びＤＶＤレコーダ１０１共通のコマンド体系へ変換される。言い換えれば、ＨＤＭＩ規格に沿った形式のデータに変換され、ＨＤＭＩケーブル１０２を通じてＤＶＤレコーダ１０１へ送信されることになる。
【００２０】
以上が、本実施形態におけるシステムの概略構成である。
【００２１】
次に図２に、本実施形態の画像表示装置であるデジタルテレビ１０３の概略構成を示す。画像表示装置はその他、パソコン用ディスプレイ、単一のコンピュータ等で装置実現してもよい。
【００２２】
同図において、デジタルテレビ１０３は、アンテナ２０１からの放送信号が供給されるアンテナ入力端子２０２を備えている。アンテナ入力端子２０２に入力された放送信号は、チューナ２０３により特定の番組データが抽出され、復号部２０４にてデコードされる。復号部２０４にてデコードされた画像データ、音声データは情報処理部２０７にて各種処理が行われる。例えば、画像データに関しては必要に応じてＯＳＤ（Ｏｎ  Ｓｃｒｅｅｎ  Ｄｉｓｐｌａｙ）画像との重ね合わせや解像度変換、高画質化処理等が行われ、音声データに関してはアナログ信号への変換が行われる。情報処理部２０７にて処理された画像データは、表示部２０９に供給されて画像として表示される。また、音声データは、スピーカ２０８に供給されて音声として出力される。
【００２３】
また、デジタルテレビ１０３は、ＨＤＭＩケーブル１０２を用いてＤＶＤレコーダ１０１と接続するためのＨＤＭＩ入力端子２０５を備えている。なお、本実施形態では、ＨＤＭＩケーブル１０２と接続するためのＨＤＭＩ入力端子２０５のみ記載されているが、ＤＶＩケーブル、ＩＥＥＥ１３９４ケーブルなどのケーブルとも接続できるように、それぞれのケーブルに対応した入力端子を備えていても構わない。
【００２４】
ＨＤＭＩ入力端子２０５に入力されたＨＤＭＩデータは、ＨＤＭＩ受信部２０６により画像データ、音声データが抽出され、情報処理部２０７へ出力される。情報処理部２０７では、放送信号同様に各種処理が行われる。即ち、画像データに関しては必要に応じてＯＳＤ画像との重ね合わせや解像度変換、高画質化処理等が行われ、音声データに関してはアナログ信号への変換が行われる。情報処理部２０７にて処理された画像データは表示部２０９に供給されて画像として表示される。また、音声データは、スピーカ２０８に供給されて音声として出力される。
【００２５】
さらに、デジタルテレビ１０３は、筐体に設けられた複数の操作スイッチからなる操作部２１１を有する。操作スイッチの操作内容は制御部２１２へ送られ、制御部２１２は操作部２１１の操作内容に応じた動作を行う。さらに、デジタルテレビ１０３は、リモコン１０４からの各種コマンドを受信するリモコン受信部２１０を有している。リモコン１０４から受信したコマンドも同様に制御部２１２へ送られ、制御部２１２はリモコン１０４の操作内容に応じた動作を行う。
【００２６】
また、制御部２１２は、デジタルテレビ１０３全体の制御を行う。さらに、ＨＤＭＩ受信部２０６、ＨＤＭＩケーブル１０２を通じて、ＤＶＤレコーダ１０１に対して動作を指示する。例えば、ＤＶＤレコーダ１０１にて再生しているコンテンツを表示している際に、リモコン１０４からの電源オフのコマンドをリモコン受信部２１０経由で受信したならば、制御部２１２は、ＤＶＤレコーダ１０１に対してコンテンツの再生一時停止を指示する。また、制御部２１２は、表示部への電源供給を停止させ、時間計測部２１３へ所定の時間の計測を指示する。その後、リモコン１０４から電源オンのコマンドを受信することなく、時間計測部２１３にて所定の時間の経過が検知されたならば、制御部２１２は、ＤＶＤレコーダ１０１に対して、コンテンツの再生の停止とＤＶＤレコーダ１０１の電源オフを指示する。また、既に電源供給の停止されている表示部２０９を除いて、待機状態で動作不要な部分、即ち、チューナ２０３、復号部２０４、情報処理部２０７、スピーカ２０８等への電源供給を停止させ、デジタルテレビ１０３を待機状態へと移行させる。
【００２７】
以上が、本実施形態における画像表示装置であるデジタルテレビ１０３の概略構成である。
【００２８】
次に図３に、本実施形態の再生装置であるＤＶＤレコーダ１０１の概略構成を示す。
【００２９】
同図において、ＤＶＤレコーダ１０１は、ＤＶＤ設置部３０２に設置されるＤＶＤ記録媒体３０１に記録されているデータを、信号読取部３０３にて読み取る。信号読取部３０３で読み取られたデータは、信号処理部３０４にてデジタルデータへの変換、復調、誤り訂正等の処理を行い、復号部３０５にてデコードされる。復号部３０５にてデコードされた画像データ、音声データは、情報処理部３０６にて各種処理が行われる。例えば、画像データに関しては、解像度変換、高画質化処理等が行われる。情報処理部３０６にて処理された画像データ、及び音声データは、ＨＤＭＩ送信部３０７にてＨＤＭＩ形式のデータフォーマットに変換され、ＨＤＭＩ出力端子３０８に接続されたＨＤＭＩケーブル１０２を通じて、デジタルテレビ１０３へ出力される。
【００３０】
また、デジタルテレビ１０３同様に、ＤＶＤレコーダ１０１は、筐体に設けられた複数の操作スイッチからなる操作部３０９を有する。操作スイッチの操作内容は制御部３１０へ送られ、制御部３１０は操作部３０９の操作内容に応じた動作を行う。また、図示省略されたリモコン受信部も有し、図示省略されたリモコンより受信したコマンドも同様に制御部３１０へ送られ、制御部３１０はリモコンの操作内容に応じた動作を行う。さらに、デジタルテレビ１０３からの指示もＨＤＭＩケーブル１０２、ＨＤＭＩ送信部３０７経由で受信し、制御部３１０はそれらに応じた動作も行う。さらに、制御部３１０は、ＤＶＤレコーダ１０１全体の制御も行う。
【００３１】
以上が、本実施形態における再生装置であるＤＶＤレコーダ１０１の概略構成である。
【００３２】
次に図４に、ＨＤＭＩの概略構成を示す。
【００３３】
ＨＤＭＩは送信部と受信部からなり、送信部は画像、音声のソースである装置が備え、受信部は画像、音声を表示、出力する装置が備えるものである。
【００３４】
即ち、本実施形態においては、送信部はＤＶＤレコーダ１０１の制御部３１０に制御されるＨＤＭＩ送信部３０７、受信部はデジタルテレビ１０３の制御部２１２に制御されるＨＤＭＩ受信部２０６が相当する。ＨＤＭＩ送信部３０７とＨＤＭＩ受信部２０６間は、ＨＤＭＩケーブル１０２で接続される。
【００３５】
ＨＤＭＩ送信部３０７は、画像信号（Ｙ、Ｐｂ、Ｐｒ）と音声信号をＴＭＤＳ符号部４０１にてエンコードして、ＨＤＭＩ受信部２０６にＨＤＭＩケーブル１０２経由で出力する。画像データに関しては、パラレル８ビット×３チャネルの画像データをシリアル１０ビット×３チャネルに変換し、音声データに関しては、パラレル４ビットの音声データをシリアル１０ビットに変換し送出する。
【００３６】
ＨＤＭＩ受信部２０６は、ＨＤＭＩ送信部３０７からＨＤＭＩケーブル１０２経由で送られてきた画像データ、音声データをＴＭＤＳ復号部４０２にてデコードする。また、ＤＤＣ（Ｄｉｓｐｌａｙ  Ｄａｔａ  Ｃｈａｎｎｅｌ）ライン４０３は、ディスプレイの制御信号を伝送するものであり、ＣＥＣ（Ｃｏｎｓｕｍｅｒ  Ｅｌｅｃｔｒｏｎｉｃｓ  Ｃｏｎｔｒｏｌ）ライン４０４は民生機器用の制御信号を伝送するものである。なお、デジタルテレビ１０３からＤＶＤレコーダ１０１へコンテンツの再生、一時停止、停止、及びＤＶＤレコーダ１０１の電源オフ／オン等の指示を行う場合、これらの指示はＣＥＣライン４０４を通じて行われる。
【００３７】
以上が、ＨＤＭＩの概略構成である。
【００３８】
次に図５に基づいて、外部接続されるＤＶＤレコーダ１０１にて再生されているコンテンツを、デジタルテレビ１０３にて表示、視聴している際に、ユーザがデジタルテレビ１０３に対する電源オフの指示を行ったときのデジタルテレビ１０３による処理を説明する。
【００３９】
ステップＳ５０１では、デジタルテレビ１０３に対する電源オフの指示が、ユーザから行われたかどうかをチェックする。電源オフの指示がユーザから行われたならば、ステップＳ５０２へ移行する。電源オフの指示は、デジタルテレビ１０３の操作部２１１、リモコン１０４及びＤＶＤレコーダ１０１を含む他の接続装置のどれからであってもよいし、または特定の、例えば、リモコン１０４からのみをチェックするようにしてもよいことは言うまでもない。
【００４０】
ステップＳ５０２では、制御部によりＤＶＤレコーダ１０１の動作をチェックする。動作が録画であれば図６のステップＳ６０１に移行し、それ以外であればステップＳ５０３に移行する。
【００４１】
ステップＳ５０３では、再生装置であるＤＶＤレコーダ１０１に対して、コンテンツ再生の一時停止を指示する。即ち、一時停止の指示を受信したＤＶＤレコーダ１０１は、既に再生済みの最終フレーム画像の位置でコンテンツ再生を一時停止し、最終フレーム画像をデジタルテレビ１０３へ出力し続けると共に、音声の出力を停止させることになる。ここで、一時停止する位置を最終フレーム画像ではなく最終フレームより前に再生されたフレーム画像にして、コンテンツ再生を中断位置の前から再開するようにしてもよい。また、一時停止時にフレーム画像をデジタルテレビ１０３に出力しなくてもよい。一時停止状態とは、すぐに動作の継続可能な状態のことであり、特に記載された動作を行う状態に限定されるものではない。
【００４２】
ステップＳ５０４では、デジタルテレビ１０３の表示部２０９へ供給している電源の供給停止を指示する。即ち、デジタルテレビ１０３の表示を消去することにより、ユーザに対してデジタルテレビ１０３が待機状態へ移行したかのように見せかけると共に、省電力をはかる。この状態では、信号処理部等やリモコン受信部への電力は供給維持され、信号処理部等の動作状態やリモコン命令の受信可能状態が維持されている。
【００４３】
ステップＳ５０５では、時間計測部２１３に対して、所定の時間の計測開始を指示する。即ち、ステップＳ５０１にてチェックされた電源オフ指示が、ユーザの誤操作によるものであるかどうかを判断するために、時間計測を開始する。
【００４４】
ステップＳ５０６では、ステップＳ５０５にて開始した時間計測部２１３での時間計測が、所定の時間に達したかどうかをチェックする。所定の時間に達していなければステップＳ５０７へ移行し、達していればステップＳ５１０へ移行する。即ち、所定の時間経過し、ステップＳ５１０へ移行することにより、ステップＳ５０１にてチェックされた、電源オフ指示がユーザの誤操作によるものではなく、正常なものであると判断し、その後に続く各種電源オフ処理を行う。
【００４５】
ステップＳ５０７では、デジタルテレビ１０３に対する電源オンの指示がユーザから行われたかどうかをチェックする。電源オンの指示がユーザから行われたならばステップＳ５０８へ移行し、行われていなければステップＳ５０６へ移行する。即ち、ステップＳ５０６、ステップＳ５０７を繰り返すことにより、ステップＳ５０１にてチェックされた電源オフ指示が、ユーザの誤操作によるものであるかの判断を行う。ここで、電源オンの指示は、ステップＳ５０１同様にデジタルテレビ１０３の操作部２１１、リモコン１０４及びＤＶＤレコーダ１０１を含む他の接続装置のどれからであってもよい。または特定の、例えば、リモコン１０４からのみをチェックするようにしてもよいことは言うまでもない。
【００４６】
ステップＳ５０８では、デジタルテレビ１０３の表示部２０９へ供給の停止している電源の供給再開を指示する。即ち、ステップＳ５０４にて一旦供給停止した電源を再度供給再開することにより、ユーザに対してデジタルテレビ１０３が待機状態から立ち上がったように見せかけると共に、一時停止されているコンテンツの再生表示再開の準備を行う。
【００４７】
ステップＳ５０９では、再生装置であるＤＶＤレコーダ１０１に対して、コンテンツ再生の再開を指示する。即ち、ステップＳ５０３にて一時停止させていたコンテンツ再生を、一時停止していた位置から再開させることにより、ユーザからのデジタルテレビ１０３への電源オフ指示、電源オン指示をまたいで、再生されるコンテンツの連続した視聴が可能となる。また、再生再開の指示を受信したＤＶＤレコーダ１０１は、一時停止しているフレームからコンテンツの再生を再開すると共に、停止させている音声の出力も停止位置より再開させることになる。
【００４８】
したがって、ステップＳ５０８、及びステップＳ５０９においては、ステップＳ５０１にてチェックされた電源オフ指示が、ユーザの誤操作によるものであると判断し、コンテンツの継続視聴を行うための各種処理を行うことになる。
【００４９】
ステップＳ５１０では、再生装置であるＤＶＤレコーダ１０１に対して、コンテンツ再生の停止を指示する。即ち、ステップＳ５０３にて一時停止させていたコンテンツ再生を終了させる。また、再生停止の指示を受信したＤＶＤレコーダ１０１は、コンテンツの再生を停止することになる。
【００５０】
ステップＳ５１１では、再生装置であるＤＶＤレコーダ１０１に対して、電源オフを指示する。これにより、ユーザがＤＶＤレコーダ１０１の電源オフ指示を別の操作、例えばＤＶＤレコーダ１０１付属のリモコンで行う必要がなくなり、ユーザの操作性向上がはかれる。また、電源オフの指示を受信したＤＶＤレコーダ１０１は、図示省略された電源制御部を制御し、信号処理部３０４、復号部３０５、情報処理部３０６等、待機状態において動作の必要がないブロックに供給している電源を停止させ、待機状態へ移行させる。この状態では、デジタルテレビ１０３からの信号受信部やリモコン受信部への電力は供給維持され、信号処理部等の動作は止まるが命令の受信可能状態は維持されている。
【００５１】
ステップＳ５１２では、デジタルテレビ１０３は待機状態への移行を行う。即ち、チューナ２０３、復号部２０４、情報処理部２０８、スピーカ２０８等、待機状態において動作の必要がないブロックに供給している電源を停止することにより、待機状態へ移行する。この状態では、信号処理部等の電力はオフされ、リモコン受信部への電力は供給維持され、信号処理部等の動作は止まるがリモコン命令の受信可能状態は維持されている。
【００５２】
したがって、ステップＳ５１０、ステップＳ５１１及びステップＳ５１２においては、ステップＳ５０１にてチェックされた電源オフ指示が、ユーザの意図したものであると判断し、ＤＶＤレコーダ１０１及びデジタルテレビ１０３に対して各種処理を行うことになる。
【００５３】
なお、各種ＤＶＤレコーダ１０１への指示は、デジタルテレビ１０３のＨＤＭＩ受信部２０６経由でＣＥＣライン４０４を通じて行われる。また、画像信号や音声信号とは逆に、デジタルテレビ１０３のＨＤＭＩ受信部２０６からＤＶＤレコーダ１０１のＨＤＭＩ送信部３０７の方向で行われる。また、これらの指示に使用されるコマンドは、ＨＤＭＩ規格で定義されるコマンドでもよいし、ベンダースペシフィックコマンドで実施してもよいことは言うまでもない。
【００５４】
以上が、外部接続されるＤＶＤレコーダ１０１にて再生されているコンテンツを、本実施形態の画像表示装置であるデジタルテレビ１０３にて表示、視聴している際に、デジタルテレビ１０３に対する電源オフの指示がユーザから行われたときの処理の流れである。
【００５５】
なお、本実施形態では、再生装置であるＤＶＤレコーダ１０１に対して、ステップＳ５１０にて再生停止指示、ステップＳ５１１にて電源オフ指示を行っているが、これらの処理は省略されてもよいし、どちらか片方だけ行ってもよいことは言うまでもない。また、これらの処理を実施した結果、再生装置であるＤＶＤレコーダ１０１において、再生停止指示、電源オフ指示が行われなくてもよいことは言うまでもない。
【００５６】
また、本実施形態では、外部装置の動作が録画の場合、図６のフローチャートによる処理に移行させることで、録画の一時停止及び停止といった望まない外部装置への指示が行われなくなる。例えば、外部装置で放送番組を録画している際に、外部装置でコンテンツを再生しているときの処理と同じように一時停止または停止を行うと、録画を再開するまでの間に放送された画像データが記録されず、ユーザの意図した番組録画ができない。そこで、そのような問題が起こらないように外部装置の動作が録画の場合には、表示装置が外部装置に対して録画の一時停止及び停止の指示を行わない処理に移行させる。
【００５７】
（実施例２）
本発明の第２の実施形態は、図８のようなシステム構成により、第１の実施形態においてデジタルテレビ１０３が行っていたＤＶＤレコーダ１０１の動作制御を画像表示制御装置８０１が行うものである。
【００５８】
図７に基づいて、外部接続されるＤＶＤレコーダ１０１にて再生されているコンテンツを、デジタルテレビ１０３にて表示、視聴している際に、ユーザがデジタルテレビ１０３に対する電源オフの指示を行ったときの画像表示制御装置８０１による処理を説明する。ただし、第１の実施形態と重複する部分に関して詳しい説明は省略する。
【００５９】
ステップ７０１では、図示されていない制御部により、デジタルテレビ１０３に対する電源オフの指示が、ユーザから行われたかどうかをチェックする。電源オフの指示がユーザから行われたならば、ステップＳ７０２へ移行する。
【００６０】
ステップＳ７０２では、制御部によりＤＶＤレコーダ１０１の動作をチェックする。動作が録画であればＤＶＤレコーダ１０１に対して指示をしないので処理を終了する。それ以外であればステップＳ７０３に移行する。
【００６１】
ステップＳ７０３では、再生装置であるＤＶＤレコーダ１０１に対して、コンテンツ再生の一時停止を指示する。即ち、一時停止の指示を受信したＤＶＤレコーダ１０１は、既に再生済みの最終フレーム画像の位置でコンテンツ再生を一時停止し、最終フレーム画像をデジタルテレビ１０３へ出力し続けると共に、音声の出力を停止させることになる。
【００６２】
ステップＳ７０４では、デジタルテレビ１０３に対する電源オフの指示に同期させ、制御部が図示されていない時間計測部に対して、所定の時間の計測開始を指示する。
【００６３】
ステップＳ７０５では、ステップＳ７０４にて開始した時間計測が所定の時間に達したかどうかをチェックする。所定の時間に達していなければステップＳ７０６へ移行し、達していればステップＳ７０８へ移行する。
【００６４】
ステップＳ７０６では、デジタルテレビ１０３に対する電源オンの指示がユーザから行われたかどうかをチェックする。電源オンの指示がユーザから行われたならばステップＳ７０７へ移行し、行われていなければステップＳ７０５へ移行する。
【００６５】
ステップＳ７０７では、再生装置であるＤＶＤレコーダ１０１に対して、コンテンツ再生の再開を指示する。即ち、再生再開の指示を受信したＤＶＤレコーダ１０１は、一時停止しているフレームからコンテンツの再生を再開すると共に、停止させている音声の出力も停止位置より再開させることになる。
【００６６】
ステップＳ７０８では、再生装置であるＤＶＤレコーダ１０１に対して、コンテンツ再生の停止を指示する。即ち、ステップＳ７０３にて一時停止させていたコンテンツ再生を終了させる。また、再生停止の指示を受信したＤＶＤレコーダ１０１は、コンテンツの再生を停止することになる。
【００６７】
ステップＳ７０９では、再生装置であるＤＶＤレコーダ１０１に対して、電源オフを指示する。電源オフの指示を受信したＤＶＤレコーダ１０１は、待機状態において動作の必要がないブロックに供給している電源を停止させ、待機状態へ移行させる。
【００６８】
したがって、ステップＳ７０８及びステップＳ７０９においては、ステップＳ７０１にてチェックされた電源オフ指示が、ユーザの意図したものであると判断し、ＤＶＤレコーダ１０１に対してコンテンツ再生の停止及び電源オフを指示する。
【００６９】
以上が、外部接続されるＤＶＤレコーダ１０１にて再生されているコンテンツを、デジタルテレビ１０３にて表示、視聴している際に、デジタルテレビ１０３に対する電源オフの指示がユーザから行われたときに本実施形態の画像表示制御装置８０１が行う処理の流れである。
【００７０】
なお、本実施形態では、画像表示制御装置８０１は再生装置であるＤＶＤレコーダ１０１及び画像表示装置であるデジタルテレビ１０３と接続されているが、デジタルテレビ１０３とのみ接続されてもよい。即ち、ＤＶＤレコーダ１０１に対する指示をデジタルテレビ１０３の通信手段を介してＤＶＤレコーダ１０１に伝えるようにしてもよいことは言うまでもない。
【００７１】
また、本実施形態では、再生装置であるＤＶＤレコーダ１０１に対して、ステップＳ７０８にて再生停止指示、ステップＳ７０９にて電源オフ指示を行っているが、これらの処理は省略されてもよいし、どちらか片方だけ行ってもよいことは言うまでもない。また、これらの処理を実施した結果、再生装置であるＤＶＤレコーダ１０１において、再生停止指示、電源オフ指示が行われなくてもよいことは言うまでもない。
【００７２】
また、再生装置が画像表示装置に内蔵されている場合であっても、本実施形態と同様の制御が可能であることは言うまでもない。
【００７３】
その他、前述した二つの実施形態では、再生装置であるＤＶＤレコーダ１０１でのコンテンツ再生についてのみ記述しているが、それ以外の動作、例えば早送り再生、巻き戻し再生等コンテンツ再生を含む動作のみではなく、早送り、巻戻し等、コンテンツ再生を含まない動作に適用してもよいことは言うまでもない。
【００７４】
また、再生装置として、ＨＤＤ内蔵ＤＶＤレコーダのような再生及び録画を同時に行うことができる装置を適用してもよいことは言うまでもない。
【００７５】
また、前述した二つの実施形態の機能を実現するソフトウエアのプログラムコードを記録した記録媒体を、システム或いはコンピュータといった装置に供給し、そのシステム或いはコンピュータといった装置の制御部（ＣＰＵ、ＭＰＵ、またはそれらを含むもの）が、記録媒体に格納されたプログラムコードを読み出し実行することによっても、達成されることは言うまでもない。この場合、記録媒体から読み出されたプログラムコード自体が前述した実施形態の機能を実現することとなり、そのプログラムコードを記録した記録媒体は本発明を構成することになる。
【００７６】
プログラムコードを供給するための記録媒体としては、例えば、フレキシブルディスク、ハードディスク、光ディスク（ＣＤ、ＤＶＤ等）、光磁気ディスク（ＭＯ等）、磁気テープ、不揮発性のメモリカード、ＲＯＭ（Ｒｅａｄ  Ｏｎｌｙ  Ｍｅｍｏｒｙ）などを用いることができる。
【００７７】
また、制御部が読み出したプログラムコードを実行することにより、前述した実施形態の機能が実現されるだけでなく、そのプログラムコードの指示に基づき、システム或いはコンピュータといった装置上で稼動しているオペレーティングシステム（Ｏｐｅｒａｔｉｎｇ  Ｓｙｓｔｅｍ）などが、実際の処理の一部または全部を行い、その処理によって前述した実施形態の機能が実現される場合も含まれることは言うまでもない。
【００７８】
また、記録媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００７９】
【図１】第１の実施形態のシステムの概略構成図。
【図２】本実施形態の画像表示装置であるデジタルテレビの概略構成図。
【図３】本実施形態の再生装置であるＤＶＤレコーダの概略構成図。
【図４】ＨＤＭＩの概略構成図。
【図５】接続された外部装置が動作中で、画像表示装置に対する電源オフの指示がユーザから行われたときに画像表示装置が行う処理を表すフローチャート。
【図６】図５において、接続された外部装置の動作が録画である場合の処理を表すフローチャート。
【図７】接続された外部装置が動作中で、画像表示装置に対する電源オフの指示がユーザから行われたときに画像表示制御装置が行う処理を表すフローチャート。
【図８】第２の実施形態のシステムの概略構成図。
【符号の説明】
【００８０】
１０１  ＤＶＤレコーダ
１０２  ＨＤＭＩケーブル
１０３  デジタルテレビ
１０４  リモコン
２０１  アンテナ
２０２  アンテナ入力端子
２０３  チューナ
２０４  復号部
２０５  ＨＤＭＩ入力端子
２０６  ＨＤＭＩ受信部
２０７  情報処理部
２０８  スピーカ
２０９  表示部
２１０  リモコン受信部
２１１  操作部
２１２  制御部
２１３  時間計測部
８０１  画像表示制御装置
【図１】
2008205597.tif 000003
【図２】
2008205597.tif 000004
【図３】
2008205597.tif 000005
【図４】
2008205597.tif 000006
【図５】
2008205597.tif 000007
【図６】
2008205597.tif 000008
【図７】
2008205597.tif 000009
【図８】
2008205597.tif 000010